(57)【要約】【解決手段】移動体端末（１０）は、無線通信ネットワーク（４０）と通信する送受信器（２４）と、制御装置（３４）とを備える。移動体端末（１０）は、移動体端末（１０）がハンズフリーゾーンに隣接しているかどうかをユーザに警告する。ハンズフリーゾーンは、所定の境界を有しており、ハンズフリーデバイス（１２）を使用せずに通信できない地理的エリアである。移動体端末の現在位置は、ＧＰＳ又は無線通信ネットワーク（４０）を用いて判断される。移動体端末（１０）の現在位置がハンズフリーゾーン内にある場合、移動体端末（１０）のユーザに警告するための通知が行われる。その通知は、例えば、視覚的な通知、可聴音、又はテキストメッセージである。さらに、制御装置（３４）は、移動体端末（１０）がハンズフリーゾーンに隣接したことに応じて、ハンズフリーオンリー動作モードをイネーブルする。
2007534269.tif 000002
【特許請求の範囲】
【請求項１】
無線通信ネットワーク（４０）へ信号を送信し、前記無線通信ネットワーク（４０）から信号を受信する送受信器（２４）と、
前記送受信器（２４）に動作可能に接続された制御装置（３４）と、
を備え、
前記制御装置（３４）は、移動体端末（１０）がハンズフリーゾーンに隣接しているかどうかを判断し、前記移動体端末（１０）の現在位置に基づいて前記移動体端末（１０）が隣接しているかどうかをユーザに通知する
ことを特徴とする移動体端末（１０）。
【請求項２】
前記移動体端末（１０）の現在位置を提供するＧＰＳ受信器（２８）をさらに備えた
ことを特徴とする請求項１に記載の移動体端末。
【請求項３】
前記無線通信ネットワーク（４０）は、前記移動体端末（１０）の現在位置を提供する
ことを特徴とする請求項１に記載の移動体端末。
【請求項４】
前記無線通信ネットワーク（４０）は、ハンズフリーゾーンの境界を定義する座標を提供する
ことを特徴とする請求項１に記載の移動体端末。
【請求項５】
前記制御装置（３４）は、前記移動体端末（１０）の現在位置を前記ハンズフリーゾーンの位置と比較する
ことを特徴とする請求項１に記載の移動体端末。
【請求項６】
前記ハンズフリーゾーンの位置を格納するメモリ（２８）をさらに備えた
ことを特徴とする請求項５に記載の移動体端末。
【請求項７】
前記制御装置（３４）は、前記移動体端末（１０）が前記ハンズフリーゾーンに隣接したことに従って、ハンズフリーオンリー動作モードをイネーブルする
ことを特徴とする請求項１に記載の移動体端末。
【請求項８】
前記制御装置（３４）は、前記無線通信ネットワーク（４０）から受信した信号に応じて、ハンズフリーオンリー動作モードをイネーブルする
ことを特徴とする請求項７に記載の移動体端末。
【請求項９】
前記制御装置（３４）は、前記移動体端末（１０）が前記ハンズフリーゾーンに入った場合、ハンズフリーオンリー動作モードをイネーブルする
ことを特徴とする請求項７に記載の移動体端末。
【請求項１０】
前記制御装置（３４）は、前記移動体端末（１０）が呼を発信した場合又は呼を着信した場合、ハンズフリーオンリー動作モードをイネーブルする
ことを特徴とする請求項７に記載の移動体端末。
【請求項１１】
前記制御装置（３４）は、前記移動体端末（１０）が前記ハンズフリーゾーンに隣接したことに従って、ハンズフリーオンリー動作モードをディスエーブルする
ことを特徴とする請求項１に記載の移動体端末。
【請求項１２】
前記制御装置（３４）は、前記無線通信ネットワーク（４０）から受信した信号に応じて、ハンズフリーオンリー動作モードをディスエーブルする
ことを特徴とする請求項１１に記載の移動体端末。
【請求項１３】
前記制御装置（３４）は、前記移動体端末（１０）が前記ハンズフリーゾーンを離れた場合、ハンズフリーオンリー動作モードをディスエーブルする
ことを特徴とする請求項１１に記載の移動体端末。
【請求項１４】
ハンズフリーデバイス（１２）をさらに備えた
ことを特徴とする請求項１に記載の移動体端末。
【請求項１５】
ハンズフリーデバイス（１２）は、ハンズフリーヘッドセットを含む
ことを特徴とする請求項１２に記載の移動体端末。
【請求項１６】
ハンズフリーゾーンであると同定された地理的エリア内で通信する基地局（４２）と、
前記基地局（４２）に接続された移動通信交換局（４６）と、
前記ハンズフリーゾーンに隣接したことに従って、前記基地局（４２）とハンズフリーオンリー動作モードで通信する移動体端末（１０）と、
を備えたことを特徴とする無線通信システム。
【請求項１７】
前記基地局（４２）に接続され、前記移動体端末（１０）の現在位置を提供するロケーションサーバ（５２）をさらに備えた
ことを特徴とする請求項１６に記載の無線通信システム。
【請求項１８】
前記ロケーションサーバ（５２）は、前記移動体端末（１０）に対して前記ハンズフリーゾーンの位置をさらに提供する
ことを特徴とする請求項１７に記載の無線通信システム。
【請求項１９】
前記移動体端末（１０）は、ＧＰＳ受信器を含み、前記移動体端末（１０）の現在位置を提供する
ことを特徴とする請求項１６に記載の無線通信システム。
【請求項２０】
前記移動体端末（１０）は、
前記移動体端末（１０）が前記ハンズフリーゾーンに隣接したことに従って、前記移動体端末（１０）におけるハンズフリーオンリー動作モードをイネーブルする前記制御装置（３４）を含む
ことを特徴とする請求項１６に記載の無線通信システム。
【請求項２１】
前記制御装置（３４）は、前記移動体端末（１０）の現在位置を前記ハンズフリーゾーンの位置と比較する
ことを特徴とする請求項２０に記載の無線通信システム。
【請求項２２】
前記制御装置（３４）は、前記基地局（４２）から受信した信号に応じて、ハンズフリーオンリー動作モードをイネーブルする
ことを特徴とする請求項２０に記載の無線通信システム。
【請求項２３】
前記制御装置（３４）は、前記移動体端末（１０）が前記ハンズフリーゾーンに入った場合、ハンズフリーオンリー動作モードをイネーブルする
ことを特徴とする請求項２０に記載の無線通信システム。
【請求項２４】
前記移動体端末（１０）は、
前記移動体端末（１０）が前記ハンズフリーゾーンに隣接したことに従って、前記移動体端末（１０）におけるハンズフリーオンリー動作モードをディスエーブルする前記制御装置（３４）を含む
ことを特徴とする請求項１６に記載の無線通信システム。
【請求項２５】
前記制御装置（３４）は、前記移動体端末（１０）の現在位置を前記ハンズフリーゾーンの位置と比較する
ことを特徴とする請求項２４に記載の無線通信システム。
【請求項２６】
前記制御装置（３４）は、前記基地局（４２）から受信した信号に応じて、ハンズフリーオンリー動作モードをディスエーブルする
ことを特徴とする請求項２４に記載の無線通信システム。
【請求項２７】
前記制御装置（３４）は、前記移動体端末（１０）が前記ハンズフリーゾーンを離れた場合、ハンズフリーオンリー動作モードをディスエーブルする
ことを特徴とする請求項２４に記載の無線通信システム。
【請求項２８】
前記制御装置（３４）は、前記移動体端末（１０）が前記基地局（４２）に登録された場合、ハンズフリーオンリー動作モードをイネーブルする
ことを特徴とする請求項２４に記載の無線通信システム。
【請求項２９】
前記制御装置（３４）は、前記移動体端末（１０）が前記基地局（４２）へハンドオフしたことに応じて、ハンズフリーオンリー動作モードをイネーブルする
ことを特徴とする請求項２４に記載の無線通信システム。
【請求項３０】
無線通信ネットワーク（４０）において動作する移動体端末（１０）の制御方法であって、
移動体端末（１０）の現在位置を判断する第１判断ステップと、
前記移動体端末（１０）の現在位置とハンズフリーゾーンの位置とに基づいて、前記移動体端末（１０）がハンズフリーゾーンに隣接しているかどうかをユーザに通知する第１通知ステップと、
を備えたことを特徴とする制御方法。
【請求項３１】
前記移動体端末（１０）は、ＧＰＳ受信器（２８）から受信した位置信号に応じて前記現在位置を計算する
ことを特徴とする請求項３０に記載の制御方法。
【請求項３２】
前記移動体端末（１０）は、前記無線通信ネットワーク（４０）における基地局（４２）から前記現在位置を受信する
ことを特徴とする請求項３０に記載の制御方法。
【請求項３３】
前記移動体端末（１０）がハンズフリーゾーンに隣接しているかどうかを判断する第２判断ステップをさらに備えた
ことを特徴とする請求項３０に記載の制御方法。
【請求項３４】
前記移動体端末（１０）の前記現在位置を前記ハンズフリーゾーンの位置と比較する比較ステップをさらに備えた
ことを特徴とする請求項３０に記載の制御方法。
【請求項３５】
前記ハンズフリーゾーンの位置から前記移動体端末（１０）までの距離を判断する第３判断ステップと、
前記距離に基づいて、前記移動体端末（１０）がハンズフリーゾーンに隣接しているかどうかをユーザに通知する第２通知ステップと、
をさらに備えた
ことを特徴とする請求項３０に記載の制御方法。
【請求項３６】
前記移動体端末（１０）の移動方向を判断する第４判断ステップと、
前記移動方向に基づいて、前記移動体端末（１０）がハンズフリーゾーンに隣接しているかどうかをユーザに通知する第３通知ステップと、
をさらに備えた
ことを特徴とする請求項３０に記載の制御方法。
【請求項３７】
前記移動体端末（１０）の速度を判断する第５判断ステップと、
前記速度に基づいて、前記移動体端末（１０）がハンズフリーゾーンに隣接しているかどうかをユーザに通知する第４通知ステップと、
をさらに備えた
ことを特徴とする請求項３０に記載の制御方法。
【請求項３８】
前記第１通知ステップは、前記移動体端末（１０）のスピーカを通して可聴音を出力する出力ステップを含む
ことを特徴とする請求項３０に記載の制御方法。
【請求項３９】
前記第１通知ステップは、前記移動体端末（１０）のディスプレイ（１６）を通してテキストメッセージを表示する表示ステップを含む
ことを特徴とする請求項３０に記載の制御方法。
【請求項４０】
前記第１通知ステップは、前記移動体端末（１０）の視覚的通知を有効化する有効化ステップを含む
ことを特徴とする請求項３０に記載の制御方法。
【請求項４１】
前記移動体端末（１０）が前記ハンズフリーゾーンに入った場合、ハンズフリーオンリー動作モードをイネーブルするイネーブルステップをさらに備えた
ことを特徴とする請求項３０に記載の制御方法。
【請求項４２】
前記移動体端末（１０）が前記ハンズフリーゾーンを離れた場合、ハンズフリーオンリー動作モードをディスエーブルするディスエーブルステップをさらに備えた
ことを特徴とする請求項４１に記載の制御方法。
【発明の詳細な説明】
【技術分野】
【０００１】
バックグラウンド
本発明は、概して無線通信デバイスに関し、特にハンズフリーデバイスを使用するように構成される無線通信デバイスに関する。
【背景技術】
【０００２】
特定の国の多くの地域、例えばニューヨーク州などでは、乗り物を運転している間、そのドライバーがある種のハンズフリーデバイスを使わない場合、携帯電話で話すことは違法である。ハンズフリーデバイスを使用せずに携帯電話で話して捕らえられるそれらのドライバーは、厳しい罰金刑に直面する。もちろん、これらの「ハンズフリー」管轄区域に住んでいる携帯電話ユーザは、法をよく知っているので、法に従って行動することができる。しかしながら、これらの管轄区域を通過した人々は、当局から招喚を受けるまで、条例を知らないかもしれない。現在、携帯電話メーカーも通信事業者も、ドライバーがハンズフリーデバイスを利用するのを十分に奨励するプログラムを実装していない。さらに、どのドライバーも、その国のハンズフリー管轄区域の地理的位置を知らない。そして、ローカルな条例は、予告なしに変化される可能性がある。したがって、ドライバーが必要とするのは、彼らがこれらのハンズフリー管轄区域内又は付近にいるか否かを通知する方法及びシステムである。
【発明の開示】
【課題を解決するための手段】
【０００３】
概要
本発明は、乗り物を運転している間にハンズフリーデバイスを使用する必要がある地理的エリアに隣接しているかどうかを通知する無線通信デバイスに関する。これらの地理的エリアは、通常、所定の境界又は位置によって定義される。これらの地理的な領域を、ここでは「ハンズフリーゾーン」と呼ぶことにする。
【０００４】
無線デバイスは、無線通信ネットワークにおける基地局と通信する送受信器と、制御装置とを含んでいる。また、無線デバイスは、ＧＰＳ受信器を備えてもよい。無線デバイスの現在位置は、ＧＰＳ受信器を使用することで判断することができ、あるいは、無線ネットワークによって伝送される信号から判断することができる。ハンズフリーゾーンに関連する位置情報は、無線デバイス又はネットワークに格納される。例えば、無線デバイスがハンズフリーゾーンに隣接していれば、視覚的な通知、聴覚的な通知、又はテキストメッセージなどの通知により、無線デバイスのユーザは警告を受ける。ここで使用されるように、用語「隣接している」は、ハンズフリーゾーン内又はハンズフリーゾーンの近くであることを意味する。さらに、制御装置は、無線デバイスに対して、ハンズフリーゾーンに入る／離れるそれぞれのときに、ハンズフリーオンリーモードの動作を自動的にイネーブル／ディスエーブルするように構成されてもよい。
【発明を実施するための最良の形態】
【０００５】
詳細な説明
図面を参照すれば、図１は、本発明の一実施形態に従う無線通信デバイスの構成図を示す。無線通信デバイスは、全体として、参照番号１０によって示される。図１のデバイスは、移動体端末１０を表す。一実施形態では、移動体端末１０は、例えば、携帯電話である。しかしながら、本発明は、単なる携帯電話での使用に制限されず、他の無線通信デバイスにも適用可能である。その他の無線通信デバイスは、例えば、衛星電話、パーソナル通信サービス（ＰＣＳ）デバイス、個人データアシスタント（ＰＤＡ）、パームトップコンピュータ、および同様のものなどである。
【０００６】
移動体端末１０は、ハンズフリーデバイス１２、キーパッド１４、ディスプレイ１６、スピーカ１８、マイクロホン２０、オーディオ信号処理回路２２、アンテナ２６を有する携帯送受信器２４、アンテナ３０を有するＧＰＳ受信器２８、メモリ３２、及び制御装置３４を備える。ハンズフリーデバイス１２は、ハンズフリーヘッドセットを備える。そのハンズフリーヘッドセットは、例えば、ユーザが移動体端末１０を保持せずに離れた相手と通信することを可能にする。ハンズフリーデバイス１２は、通常、システムインタフェイスコネクタ（図示せず）又はそれに相当するジャック（図示しない）を介して移動体端末１０に接続されるアダプターを有する周辺装置である。当業者は、ハンズフリーヘッドセットが１つの可能性にすぎないことを容易に理解するだろう。また、当業者は、ハンズフリーデバイス１２がブルートゥースなどの無線インタフェイスを介して移動体端末１０に対するインターフェースとなるマイクロホンを含む外部のスピーカーフォン又はスピーカシステムを含んでもよいことを容易に理解するだろう。これらのタイプのハンズフリーデバイスは、テーブル又は他の平面に置かれていてもよいし、あるいは、乗り物に据付けられていてもよい。
【０００７】
キーパッド１４とディスプレイ１６とは、移動体端末１０の表面に配列されたユーザインタフェースの一部である。キーパッド１４は、英数字のキーパッドだけでなく、他のオプションのナビゲーションコントロールを含んでもよい。キーパッド１４により、ユーザは、番号をダイヤルすることができ、コマンドを入力することができ、ゲームで遊ぶことができ、メモリ３２に格納された様々なメニューからオプションを選択することができる。ディスプレイ１６は、ユーザに対して、ダイヤルされた数字、着信した発呼者識別子、イメージ、ビデオシーケンス、呼の状態情報、メニューオプション、テキストメッセージ、及び他のサービス情報の少なくともいずれかを含む情報を表示する。下記により詳細に説明するように、キーパッド１４及びディスプレイ１６の少なくとも一方は、視覚的な通知をユーザに提供するためのバックライトを含んでもよい。
【０００８】
マイクロホン２０は、ユーザの話し声を電気的なオーディオ信号に変換する。一方、スピーカ１８は、オーディオ信号をユーザが聞き取り可能な音声（可聴音）に変換する。マイクロホン２０とスピーカ１８とは、オーディオ信号処理回路２２を介して送受信器２４からの／への信号を送受信する。送受信器２４は、アンテナ２６と結合されて、ＧＳＭ，ＴＩＡ／ＥＩＡ−１３６，ｃｄｍａＯｎｅ，ｃｄｍａ２０００，ＵＭＴＳ，及びワイドバンドＣＤＭＡを含む技術的によく知られた標準規格に従って動作する携帯無線送受信器である。
【０００９】
移動体端末１０は、ＧＰＳ受信器２８を含んでもよいし、あるいは、ＧＰＳ受信器２８に結合されて入れもよい。技術的に知られているように、ＧＰＳ受信器２８により、移動体端末１０は、地球の周回軌道を回っている複数のＧＰＳ衛星からアンテナ３０を介して受信されたＧＰＳ信号に基づいて、その位置を判断することができる。これらの衛星は、例えば米国全地球測位システム（ＧＰＳ）衛星又はＮＡＶＳＴＡＲ衛星だけでなく、ロシアにおける同等なＧＬＯＮＡＳＳ衛星システムに用いられる衛星を含んでいる。ＧＰＳ受信器２８は、図１に独立した構成要素として示されている。一方、制御装置３４は、ＧＰＳ受信器２８によって受信されて出力される信号に基づいて、移動体端末１０の現在の位置を計算するために機能してもよい。
【００１０】
通常、衛星信号は「エフェメリス」データと呼ばれる衛星を位置決めするデータを含んでいる。エフェメリスデータにより、移動体端末１０は、地球上の所定の位置から、どの衛星が移動体端末１０からアクセス可能かということだけでなく、それらの軌道位置を識別することができる。移動体端末１０がいくつかのアクセス可能な衛星の位置を知っているので、ＧＰＳ受信器２８は、衛星から同時に送信された信号が到着する相対時間を計算することによって、移動体端末１０の位置を判断することができる。ＧＰＳ受信器２８によって受信されたエフェメリスデータは、移動体端末１０のメモリ３２に格納されて、定期的にアップデートされるてもよい。しかしながら、技術的に知られているのように、ＧＰＳ受信器２８を介してエフェメリスデータをアップデートすることは、多くの場合、時間がかかるプロセスである。したがって、移動体端末１０は、エフェメリスデータをアップデートする代わりに、無線通信ネットワークで格納されたエフェメリスデータアップデートを受信してもよい。
【００１１】
メモリ３２は、移動体端末１０において、ランダム・アクセス・メモリ（ＲＡＭ）とリードオンリーメモリ（ＲＯＭ）との両方を含むメモリの全階層を表す。メモリ３２は、移動体端末１０の動作に必要な動作指示及びデータ、一時的なデータ、様々なユーザアプリケーションに必要な指示、及び上記のエフェメリスデータの少なくともいずれかを格納する。メモリ３２は、ＥＰＲＯＭ、ＥＥＰＲＯＭ、及びフラッシュメモリなどの少なくともいずれかのデバイスを含み、個別素子、スタックされたデバイス、又は制御装置３４に積層されたデバイスとして実装されていてもよい。
【００１２】
制御装置３４は、１以上のマイクロプロセッサとして実装されてもよく、技術的に知られたどんな適切なマイクロプロセッサであってもよい。このマイクロプロセッサは、汎用及び専用のマイクロプロセッサだけでなく、デジタルシグナルプロセッサ（ＤＳＰ）を含んでもよい。制御装置３４は、メモリ３２に格納されたプログラム命令に従って移動体端末１０の動作を制御し、移動体端末１０の様々な機能を制御するための信号を生成する。例えば、制御装置３４は、ユーザに対して、送受信器２４を介して受信されるテキストメッセージを表示するための信号を生成したり、視覚的な通知、触覚的な通知、及び聴覚的な通知の少なくともいずれかを提供したりする。後により詳細に説明するように、制御装置３４は、移動体端末１０がハンズフリーゾーンに隣接した（つまり、ハンズフリーゾーン内又はハンズフリーゾーン付近である）ときに、ユーザに警告する信号を作り出すように構成されている。さらに、制御装置３４は、移動体端末１０を「ハンズフリーオンリー」動作モードにしたり、移動体端末１０を「ハンズフリーオンリー」動作モードから解除したりするように構成されてもよい。この動作モードにおいて、移動体端末１０のユーザは、ハンズフリーデバイス１２を移動体端末１０と共に使用することのみによって、離れた相手と通信することができる。
【００１３】
図２は、本発明の移動体端末１０で使用されるのに適した無線通信ネットワーク４０の典型的な配置を示す。ネットワーク４０は、移動通信交換局（ＭＳＣ）４６に接続された１つ以上の基地局（ＢＳ）４２を備える。各ＢＳ４２は、１つ以上のアンテナ４４を含んでもよく、特定の地理的な領域に渡って移動体端末１０に移動通信サービスを提供する。ＢＳ４２は、移動体端末１０のユーザと離れた相手との間の通信を容易にするために、制御信号を移動体端末１０に送信する。後により詳細に説明するように、これらの信号は、例えば、移動体端末１０からエフェメリスデータアップデート又は位置登録要求を含んでもよい。さらに、これらの信号は、移動体端末１０がハンズフリーオンリー動作モードを自動的にイネーブル（有効化）／ディスエーブル（無効化）するようにするための制御信号を含んでもよい。
【００１４】
ＭＳＣ４６は、ＢＳ４２を介した移動体端末１０からの／への呼をルーティングして、ホームロケーションレジスタ（ＨＬＲ）４８、ビジターロケーションレジスタ（ＶＬＲ）５０、及びロケーションサーバ（ＬＳ）５２と通信する。ＨＬＲ４８とＶＬＲ５０とは、移動体端末１０の位置及び稼動状況に関する情報を格納する。技術的に知られているように、ＨＬＲ４８とＶＬＲ５０とは、ＭＳＣ４６と同一場所に配置されていてもよく、ＭＳＣ４６と同一場所に配置されていなくてもよく、あるいは、ＭＳＣ４６に統合されていてもよい。
【００１５】
ＬＳ５２は、通常、基地局４２がカバーするセルに対してサービスを提供するだけでなく、他の多くのセルに対してもサービスを提供する。ＬＳ５２は、好ましくは、ＧＰＳデータベース５２ａとセルデータベース５２ｂとを含んでいる。ＧＰＳデータベース５２ａは、例えば、地球の周回軌道を回っている衛星５４から受信した最新のエフェメリスデータデータを含んでいる。上記のように、ＢＳ４２は、ＧＰＳデータベース５２ａに格納されたエフェメリスデータを、メモリ３２に記憶するように移動体端末１０へ定期的に送信してもよい。セルデータベース５２ｂは、ＬＳ５２によりサービスが提供されている地理的エリアにおいて、セルの位置に関する情報を格納する。この情報は、例えば、ハンズフリーゾーンとして同定された地理的エリアの境界を定義する座標、あるいは、ハンズフリーゾーンにおけるセルにサービスを提供している基地局の座標を含んでもよい。
【００１６】
前述のように、本発明によれば、移動体端末１０がハンズフリーゾーン内にあるか又はハンズフリーゾーン付近にある場合、ユーザは警告を受ける。移動体端末１０がハンズフリーゾーン内にあるかどうか、又はハンズフリーゾーンに入るかどうかを判断するために、本発明では、移動体端末１０の現在位置と、ハンズフリーゾーンの地理的エリアに関する位置の情報とが使用される。ハンズフリーゾーンに関する位置の情報は、移動体端末１０のメモリ３２に格納されてもよいし、または、ネットワーク４０におけるサーバに格納されてもよい。この判断に基づいて、本発明では、移動体端末１０がハンズフリーゾーン内にいるかどうか、又は、ハンズフリーゾーンに入るかどうかがユーザに通知されて、移動体端末１０の機能が状況に応じて制御される。
【００１７】
図３は、本発明の一実施形態に従う１つの方法６０を示す。方法６０は、移動体端末１０の現在位置を判断すること（ボックス６２）により始まる。例えば、移動体端末１０は、その現在位置を、ＧＰＳ受信器２８を使用して定期的に判断してもよい。この場合、ＧＰＳ受信器２８又は制御装置３４は、技術的に知られている方法を用いて移動体端末１０の現在位置を判断してもよい。あるいは、移動体端末１０は、その現在位置を、ネットワーク４０から受信してもよい。この場合、ネットワーク４０は、補助ＧＰＳ法、基地局三角法、到達時間法、及び受信信号強度（ＲＳＳＩ）における変化に基づく方法を用いて移動体端末１０の現在位置を判断する能力がある。さらに、ネットワーク４０及び制御装置３４の少なくとも一方は、また、これらの方法のいずれかを使用して、所定の基地局１２からの移動体端末１０の距離だけでなく、その速度やその方向を判断してもよい。しかしながら、本発明では、具体的にここで言及された方法に限定されず、移動体端末１０の位置、距離、速度、および方向を判断するための技術的に知られているどんな方法を用いてもよい。
【００１８】
移動体端末１０の現在位置がいったん分かると、本発明では、移動体端末１０がハンズフリーゾーン内にあるかどうか、又は、ハンズフリーゾーン付近にあるかどうかを判断する（ボックス６４）。この処理は、制御装置３４により、移動体端末１０の現在位置をメモリ３２に格納された位置の情報と比較しながら行われる。この位置の情報は、ハンズフリーゾーン境界を定義する座標を含んでもよいし、または、基地局４２の特定位置を定義する座標を含んでもよい。位置の情報が格納されると、セルデータベース５２ｂ、ＬＳ５２は、比較を行い、基地局４２を介して移動体端末１０への信号を生成する。この信号は、制御チャネルを介して、例えば、ハンズフリーゾーンに入ったことを通知する移動体端末１０へ送信される。
【００１９】
移動体端末１０がハンズフリーゾーン内又はハンズフリーゾーン付近にあると判断された場合、そのユーザは警告を受ける（ボックス６６）。制御装置３４は、自らの計算に基づいてユーザに警告してもよいし、あるいは、基地局４２から制御チャネルを介して受信した信号に応じてユーザに警告してもよい。制御装置３４は、例えばＬＥＤを点灯させる（有効化にさせる）ことにより、キーパッド１４及びディスプレイ１６の少なくとも一方のバックライトを点滅させる（有効化にさせる）ことにより、ディスプレイ１６にシンボル又はテキストメッセージを表示させることにより、スピーカ１８を通して警告音又は警告の音声を出力させることにより、触覚ジェネレータを有効にさせることにより、又は、それらの組み合わせにより、ユーザに警告してもよい。現在ユーザが呼び出しを行っている場合、制御装置３４は、スピーカ１８を通して、呼び出し待機用のトーンと同様の１つのトーン又は１連のトーンを出力させる。
【００２０】
本発明では、移動体端末１０の位置がハンズフリーゾーン内で比較的静止した状態であるかどうかを判断するように構成されることに注意すべきである。すなわち、移動体端末１０の現在位置に加えて、距離、方向、及び速度の少なくともいずれかは、ユーザが乗り物で移動しているのかどうか、又は、ユーザがレストランにいるのかどうか、又は、ユーザが通りを単に歩いているのかどうかを判断するために考慮されてもよい。これらの変数により移動体端末１０が比較的な静止した状態又は所定以下の速度で移動していることが示される場合、本発明では、ユーザに警告しなくてもよい。
【００２１】
また、本発明では、移動体端末１０がハンズフリーゾーンに入ってているのかどうか、又は、ハンズフリーゾーンに入ろうとしているのかどうかを判断するために、移動体端末１０の距離、方向、及び速度の少なくともいずれかが用られてもよい。一例として、移動体端末１０の現在位置がハンズフリーゾーンの境界から所定の距離内にあり、移動体端末１０の移動方向、及び速度の少なくとも一方がまさにハンズフリーゾーンに入るようなものである場合、制御装置３４はユーザに警告してもよい。そのためには、もちろん、移動体端末１０の現在位置を経時的に追跡する必要がある。
【００２２】
さらに、制御装置３４は、移動体端末１０がハンズフリーゾーン内にある、または、ハンズフリーゾーンに入りつつある場合、ハンズフリーオンリー動作モードをイネーブルするように構成されていてもよい（ボックス６８）。一実施形態では、制御装置３４は、移動体端末１０に接続されたハンズフリーデバイス１２を検出した場合だけ、送受信器２４がネットワーク４０への／からの信号を送信／受信できるようにする。別の実施形態では、制御装置３４は、スピーカ１８及びマイクロホン２０をディスエーブルして、すべての着信音声及び発信音声をハンズフリーデバイス１２に供給してもよい。ユーザは、メニューを選択してハンズフリーオンリー動作モードをディスエーブルすることにより、この機能を無効にすることができるだろう。これにより、乗り物の乗客は、例えば、ハンズフリーデバイス１２を使用せずに通信することができる。持続的な呼び出しがあれば、制御装置３４は、ハンズフリーオンリー動作モードを、ユーザが呼び出しを終えるまで遅らせてイネーブルすることができる。
【００２３】
移動体端末１０がハンズフリーゾーンを移動するとき、制御装置３４及びネットワーク４０の少なくとも一方は、移動体端末１０の現在位置を定期的に再計算する（ボックス７０）。移動体端末１０がハンズフリーゾーン内にある限り、警告はユーザに対して定期的に再通知されてもよい。本発明では、ユーザに対する警告は、カウンター（警告数）を閾値と比較することにより定期的に再通知されてもよい（ボックス７２）。カウンターが閾値以下であれば、カウンターはインクリメントさせる（１を加える）が、警告は再通知されない。
警告は、カウンタが閾値よりも大きかった場合にだけ、再通知するされる（ボックス７４）。警告回数を減らす他の方法には、例えば、所定の持続時間（例えば、１分につき１回）を用いる方法がある。
【００２４】
移動体端末１０の現在位置がもはやハンズフリーゾーン内にないとひとたび判断される（ボックス７０）と、本発明では、ユーザが警告を受ける（ボックス７６）。ハンズフリーゾーンに入ったことを通知する警告と異なり、この警告は、ユーザに対して一度しか通知されない。さらに、制御装置３４は、移動体端末１０のハンズフリーオンリー動作モードをディスエーブルする（ボックス７８）。ただし、制御装置３４は、持続的な呼び出しがある間、移動体端末１０のハンズフリーオンリー動作モードをディスエーブルしない。
【００２５】
図４は、管轄区域の間を移動する際の移動体端末１０の動作を示す模式図である。説明のために、移動体端末１０は、十分な速度で移動する乗り物における携帯電話とする。図４では、管轄区域Ａがハンズフリーゾーンとして同定されているが、管轄区域Ｂと管轄区域Ｃとはハンズフリーゾーンとして同定されていない。各管轄区域では、アンテナ４４ａ−４４ｃとしてここに示された１つ以上の基地局４２によりサービスが提供される。管轄区域Ｃに始まり、移動体端末１０は、その現在位置を、ＧＰＳ受信器２８を使用して判断する。メモリ３２が管轄区域Ａの境界を定義する座標を格納するので、制御装置３４は、移動体端末１０がハンズフリーゾーンに入ろうとしているのかどうかを判断できる。従って、制御装置３４は、移動体端末１０が管轄区域Ａに突入するとき、ユーザに警告し、ハンズフリーオンリー動作モードをイネーブルする。警告は、管轄区域Ａにおける移動体端末１０の移動中に継続して行われてもよい。移動体端末１０が管轄区域Ａを離れて管轄区域Ｂへ入るとき、制御装置３４は、ハンズフリー管轄区域を離れており、ハンズフリーオンリー動作モードをディスエーブルする旨をユーザに警告する。あるいは、移動体端末１０は、その現在位置及び移動体端末１０の少なくとも一方がハンズフリーゾーン内にある又はハンズフリーゾーン付近にあるという通知を、アンテナ４４ａ−４４ｃから送信された信号を受信してもよい。
【００２６】
本発明では、ユーザが警告のタイプを選択することができるように、警告をどれくらい頻繁に繰り返すかを変えることができるように、及び、自動的にハンズフリーオンリー動作モードをイネーブル／ディスエーブルするかどうかを選択することができるように、構成されていてもよい。さらに、ユーザは、ハンズフリーゾーン内でハンズフリーデバイスを使用せずに移動体端末１０を使えるようにするために、本発明の機能を全てディスエーブルしてもよい。これにより、例えば、ユーザの乗り物が障害を受けた場合、ユーザは、移動体端末１０を普通に使用できるようになる。
【００２７】
本発明では、具体的に上記した状況以外の状況において、ユーザに警告するように、及び、ハンズフリーオンリー動作モードをイネーブル／ディスエーブルするように、の少なくとも一方に対して、構成されてもよい。別の実施形態では、例えば、ハンズフリー管轄区域内を移動中のユーザが移動体端末１０を呼び出しの送信又は受信に使用するたびに、移動体端末１０のユーザに警告するように構成されてもよい。この実施形態では、例えば、移動体端末１０が乗り物で移動しているかどうかを判断するために、移動体端末１０の位置と速度とを定期的に判断してもよい。ユーザが呼の発信を試みるとき、あるいは、ユーザが呼の着信を試みるとき、本発明では、移動体端末１０の速度が閾値速度である又は閾値速度以上である場合、ユーザが警告を受ける。この場合も、前記したハンズフリーオンリー動作モードがイネーブルされて、その結果、ユーザは、ハンズフリーデバイス１２を使用することのみによって通信することができるようになる。しかしながら、その速度が閾値速度以下である場合、ユーザは、ハンズフリーデバイス１２を使用してもしなくても、離れた相手と通信することができる。移動体端末１０のネットワークオペレータ、ユーザ、又は製造業者は、閾値速度を設定してもよい。
【００２８】
別の実施形態では、ネットワーク４０において、ＨＬＲ４８及びＶＬＲ５０の少なくとも一方に格納されたデータが検査されてもよい。この実施形態では、ネットワーク４０において、移動体端末１０がネットワーク４０に登録されるたびに、あるいは、移動体端末１０が基地局４２へハンドオフしたときに、制御チャネルを介して制御信号が移動体端末１０へ送信されてもよい。これらの場合において、制御信号により、移動体端末１０の制御装置３４は、ユーザに警告すること、及び、上記のようにハンズフリーオンリー動作モードをイネーブル／ディスエーブルすることの少なくとも一方ができる。この実施形態では、例えば、ホームエリア以外のエリアを移動するユーザだけが警告を受けてもよい。。
【００２９】
本発明は、発明の本質的特質から逸脱しない範囲内において、ここで具体的に示した実施形態と異なる形態で実現可能である。上述の実施形態は、あらゆる観点において例示であり、限定的に解釈されるべきでない。添付した特許請求の範囲の意味及び均等範囲内で実現されるすべての変更は、本発明の実施形態に含まれる。
【図面の簡単な説明】
【００３０】
【図１】図１は、本発明の一実施形態に従う無線通信デバイスの構成図を示す。
【図２】図２は、本発明の一実施形態に従う可能な無線通信ネットワークを示す。
【図３】図３は、本発明の一実施形態に従う１つの可能な方法を示す。
【図４】図４は、移動体端末がハンズフリーゾーンを出たり入ったりするとき、本発明の１つの実施形態におけるどのような作動が行われるかを模式的に示す。
【図１】
2007534269.tif 000003
【図２】
2007534269.tif 000004
【図３】
2007534269.tif 000005
【図４】
2007534269.tif 000006
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
無線通信ネットワーク（４０）へ信号を送信し、前記無線通信ネットワーク（４０）から信号を受信する送受信器（２４）と、
ハンズフリーオンリー動作モードにおいてユーザが呼を発信すること及び呼を着信することを可能にするハンズフリーデバイス（１２）と、
前記送受信器（２４）に動作可能に接続された制御装置（３４）と、
を備え、
前記制御装置（３４）は、移動体端末（１０）がハンズフリーゾーンに隣接しているかどうかを判断し、前記移動体端末（１０）の現在位置に基づいて前記移動体端末（１０）が隣接しているかどうかをユーザに通知し、前記移動体端末（１０）の速度を判断し、前記移動体端末（１０）が前記ハンズフリーゾーンに隣接している間において前記速度が閾値速度よりも大きい場合に前記ハンズフリーオンリー動作モードを有効化してユーザが前記ハンズフリーデバイス（１２）を用いて呼を発信すること及び呼を着信することを可能にし、前記移動体端末（１０）が前記ハンズフリーゾーンに隣接している間において前記速度が閾値速度よりも大きくない場合に前記ハンズフリーオンリー動作モードを無効化してユーザが前記ハンズフリーデバイス（１２）を用いずに呼を発信すること及び呼を着信することを可能にする
ことを特徴とする移動体端末（１０）。
【請求項２】
前記移動体端末（１０）の現在位置を提供するＧＰＳ受信器（２８）をさらに備えた
ことを特徴とする請求項１に記載の移動体端末。
【請求項３】
前記無線通信ネットワーク（４０）は、前記移動体端末（１０）の現在位置を提供する
ことを特徴とする請求項１に記載の移動体端末。
【請求項４】
前記無線通信ネットワーク（４０）は、ハンズフリーゾーンの境界を定義する座標を提供する
ことを特徴とする請求項１に記載の移動体端末。
【請求項５】
前記制御装置（３４）は、前記移動体端末（１０）の現在位置を前記ハンズフリーゾーンの位置と比較する
ことを特徴とする請求項１に記載の移動体端末。
【請求項６】
前記ハンズフリーゾーンの位置を格納するメモリ（２８）をさらに備えた
ことを特徴とする請求項５に記載の移動体端末。
【請求項７】
前記制御装置（３４）は、前記移動体端末（１０）が前記ハンズフリーゾーンに隣接したことに従って、ハンズフリーオンリー動作モードを有効化する
ことを特徴とする請求項１に記載の移動体端末。
【請求項８】
前記制御装置（３４）は、前記無線通信ネットワーク（４０）から受信した信号に応じて、ハンズフリーオンリー動作モードを有効化する
ことを特徴とする請求項７に記載の移動体端末。
【請求項９】
前記制御装置（３４）は、前記移動体端末（１０）が前記ハンズフリーゾーンに入った場合、ハンズフリーオンリー動作モードを有効化する
ことを特徴とする請求項７に記載の移動体端末。
【請求項１０】
前記制御装置（３４）は、前記移動体端末（１０）が呼を発信した場合又は呼を着信した場合、ハンズフリーオンリー動作モードを有効化する
ことを特徴とする請求項７に記載の移動体端末。
【請求項１１】
前記制御装置（３４）は、前記移動体端末（１０）が前記ハンズフリーゾーンに隣接したことに従って、ハンズフリーオンリー動作モードを無効化する
ことを特徴とする請求項１に記載の移動体端末。
【請求項１２】
前記制御装置（３４）は、前記無線通信ネットワーク（４０）から受信した信号に応じて、ハンズフリーオンリー動作モードを無効化する
ことを特徴とする請求項１１に記載の移動体端末。
【請求項１３】
前記制御装置（３４）は、前記移動体端末（１０）が前記ハンズフリーゾーンを離れた場合、ハンズフリーオンリー動作モードを無効化する
ことを特徴とする請求項１１に記載の移動体端末。
【請求項１４】
前記ハンズフリーデバイス（１２）は、ハンズフリーヘッドセットを含む
ことを特徴とする請求項１に記載の移動体端末。
【請求項１５】
ハンズフリーゾーンであると同定された地理的エリア内で通信する基地局（４２）と、
前記基地局（４２）に接続された移動通信交換局（４６）と、
前記ハンズフリーゾーンに隣接したことと、移動速度とに基づいて、前記基地局（４２）とハンズフリーオンリー動作モードで通信する移動体端末（１０）と、
を備えたことを特徴とする無線通信システム。
【請求項１６】
前記基地局（４２）に接続され、前記移動体端末（１０）の現在位置を提供するロケーションサーバ（５２）をさらに備えた
ことを特徴とする請求項１５に記載の無線通信システム。
【請求項１７】
前記ロケーションサーバ（５２）は、前記移動体端末（１０）に対して前記ハンズフリーゾーンの位置をさらに提供する
ことを特徴とする請求項１６に記載の無線通信システム。
【請求項１８】
前記移動体端末（１０）は、前記移動体端末（１０）の現在位置を提供するためのＧＰＳ受信器を含む
ことを特徴とする請求項１５に記載の無線通信システム。
【請求項１９】
前記移動体端末（１０）は、
前記移動体端末（１０）が前記ハンズフリーゾーンに隣接したことと、前記ハンズフリーゾーンに隣接している間において前記移動体端末（１０）の移動速度が閾値速度を超えたかどうかとに基づいて、前記移動体端末（１０）におけるハンズフリーオンリー動作モードを有効化する前記制御装置（３４）を含む
ことを特徴とする請求項１５に記載の無線通信システム。
【請求項２０】
前記制御装置（３４）は、前記移動体端末（１０）の現在位置を前記ハンズフリーゾーンの位置と比較する
ことを特徴とする請求項１９に記載の無線通信システム。
【請求項２１】
前記制御装置（３４）は、前記基地局（４２）から受信した信号に応じて、ハンズフリーオンリー動作モードを有効化する
ことを特徴とする請求項１９に記載の無線通信システム。
【請求項２２】
前記制御装置（３４）は、前記移動体端末（１０）が前記ハンズフリーゾーンに入った場合、ハンズフリーオンリー動作モードを有効化する
ことを特徴とする請求項１９に記載の無線通信システム。
【請求項２３】
前記移動体端末（１０）は、
前記移動体端末（１０）が前記ハンズフリーゾーンに隣接したことと、前記ハンズフリーゾーンに隣接している間において前記移動体端末（１０）の移動速度が閾値速度を超えたかどうかとに基づいて、前記移動体端末（１０）におけるハンズフリーオンリー動作モードを無効化する前記制御装置（３４）を含む
ことを特徴とする請求項１５に記載の無線通信システム。
【請求項２４】
前記制御装置（３４）は、前記移動体端末（１０）の現在位置を前記ハンズフリーゾーンの位置と比較する
ことを特徴とする請求項２３に記載の無線通信システム。
【請求項２５】
前記制御装置（３４）は、前記基地局（４２）から受信した信号に応じて、ハンズフリーオンリー動作モードを無効化する
ことを特徴とする請求項２３に記載の無線通信システム。
【請求項２６】
前記制御装置（３４）は、前記移動体端末（１０）が前記ハンズフリーゾーンを離れた場合、ハンズフリーオンリー動作モードを無効化する
ことを特徴とする請求項２３に記載の無線通信システム。
【請求項２７】
前記制御装置（３４）は、前記移動体端末（１０）が前記基地局（４２）に登録された場合、ハンズフリーオンリー動作モードを有効化する
ことを特徴とする請求項２１に記載の無線通信システム。
【請求項２８】
前記制御装置（３４）は、前記移動体端末（１０）が前記基地局（４２）へハンドオフしたことに応じて、ハンズフリーオンリー動作モードを有効化する
ことを特徴とする請求項２１に記載の無線通信システム。
【請求項２９】
無線通信ネットワーク（４０）において動作する移動体端末（１０）の制御方法であって、
移動体端末（１０）の現在位置を判断する第１判断ステップと、
前記移動体端末（１０）の現在位置とハンズフリーゾーンの位置とに基づいて、前記移動体端末（１０）がハンズフリーゾーンに隣接しているかどうかをユーザに通知する第１通知ステップと、
前記移動体端末（１０）の速度を判断する第５判断ステップと、
前記移動体端末（１０）が前記ハンズフリーゾーンに隣接している間において前記速度が閾値速度以上である場合に前記ハンズフリーオンリー動作モードを有効化してユーザが前記ハンズフリーデバイス（１２）を用いて呼を発信すること及び呼を着信することを可能にする第１有効化ステップと、
前記移動体端末（１０）が前記ハンズフリーゾーンに隣接している間において前記速度が閾値速度よりも大きくない場合に前記ハンズフリーオンリー動作モードを無効化してユーザが前記ハンズフリーデバイス（１２）を用いずに呼を発信すること及び呼を着信することを可能にする第１無効化ステップと、
を備えたことを特徴とする制御方法。
【請求項３０】
前記移動体端末（１０）は、ＧＰＳ受信器（２８）から受信した位置信号に応じて前記現在位置を計算する
ことを特徴とする請求項２９に記載の制御方法。
【請求項３１】
前記移動体端末（１０）は、前記無線通信ネットワーク（４０）における基地局（４２）から前記現在位置を受信する
ことを特徴とする請求項２９に記載の制御方法。
【請求項３２】
前記移動体端末（１０）がハンズフリーゾーンに隣接しているかどうかを判断する第２判断ステップをさらに備えた
ことを特徴とする請求項２９に記載の制御方法。
【請求項３３】
前記移動体端末（１０）の前記現在位置を前記ハンズフリーゾーンの位置と比較する比較ステップをさらに備えた
ことを特徴とする請求項３２に記載の制御方法。
【請求項３４】
前記ハンズフリーゾーンの位置から前記移動体端末（１０）までの距離を判断する第３判断ステップと、
前記距離に基づいて、前記移動体端末（１０）がハンズフリーゾーンに隣接しているかどうかをユーザに通知する第２通知ステップと、
をさらに備えた
ことを特徴とする請求項２９に記載の制御方法。
【請求項３５】
前記移動体端末（１０）の移動方向を判断する第４判断ステップと、
前記移動方向に基づいて、前記移動体端末（１０）がハンズフリーゾーンに隣接しているかどうかをユーザに通知する第３通知ステップと、
をさらに備えた
ことを特徴とする請求項２９に記載の制御方法。
【請求項３６】
前記移動体端末（１０）の前記速度に基づいて、前記移動体端末（１０）がハンズフリーゾーンに隣接しているかどうかをユーザに通知する第４通知ステップをさらに備えた
ことを特徴とする請求項２９に記載の制御方法。
【請求項３７】
前記第１通知ステップは、前記移動体端末（１０）のスピーカを通して可聴音を出力する出力ステップを含む
ことを特徴とする請求項２９に記載の制御方法。
【請求項３８】
前記第１通知ステップは、前記移動体端末（１０）のディスプレイ（１６）を通してテキストメッセージを表示する表示ステップを含む
ことを特徴とする請求項２９に記載の制御方法。
【請求項３９】
前記第１通知ステップは、前記移動体端末（１０）の視覚的通知を有効化する第２有効化ステップを含む
ことを特徴とする請求項２９に記載の制御方法。
【請求項４０】
前記移動体端末（１０）が前記ハンズフリーゾーンに入った場合、ハンズフリーオンリー動作モードを有効化する第３有効化ステップをさらに備えた
ことを特徴とする請求項２９に記載の制御方法。
【請求項４１】
前記移動体端末（１０）が前記ハンズフリーゾーンを離れた場合、ハンズフリーオンリー動作モードを無効化する第２無効化ステップをさらに備えた
ことを特徴とする請求項４０に記載の制御方法。
【国際調査報告】
2007534269.tif 000007
2007534269.tif 000008
2007534269.tif 000009